(57)【要約】      （修正有）【課題】塗り絵用紙の輪郭線上に色彩が付されてしまい、見栄えが悪くなる場合があるという課題を解消した塗り絵セットを提供する。【解決手段】台紙１１上に塗り絵のための輪郭線Ｌが印刷されてなる塗り絵用紙１と、用紙２１に輪郭線Ｌに一致した形状の切り残り部分Ｒを有するとともに切り残り部分Ｒ以外の部分を切除して形成された切り絵２とを備えてなる塗り絵セットであり、切り絵２が、切り残り部分Ｒを輪郭線Ｌに一致させて塗り絵用紙１の上面に重ね合わされるようにした。【選択図】図２
0003172927.tif 000002
【実用新案登録請求の範囲】
【請求項１】
台紙上に塗り絵のための輪郭線が印刷されてなる塗り絵用紙と、用紙に前記輪郭線の形状と略一致した形状の切り残り部分を有するとともに前記切り残り部分以外の部分を切除して形成された切り絵とを備えてなる塗り絵セットであって、
前記切り絵が、前記切り残り部分を前記輪郭線に一致させて前記塗り絵用紙の上面に重ね合わされるものであることを特徴とする塗り絵セット。
【請求項２】
下面に粘着剤層を有し前記塗り絵用紙及び前記切り絵の上面を被覆する透明シートを備えている請求項１記載の塗り絵セット。
【請求項３】
前記塗り絵用紙が、郵便葉書として利用可能な大きさに設定された矩形状のものである請求項１又は２記載の塗り絵セット。
【考案の詳細な説明】
【技術分野】
【０００１】
本考案は、塗り絵用紙を備えてなる塗り絵セットに関する。
【背景技術】
【０００２】
従来から、玩具として塗り絵を行うための塗り絵用紙が種々知られている（例えば特許文献１参照）。一般に、塗り絵用紙には、種々のデザインの輪郭線が印刷によって施されており、クレヨン、水彩絵の具、水性ペンや油性ペン、或いは貼り紙等によって、輪郭線によって囲まれた部分に色彩や模様を付加して遊ぶことができるようになっている。
【０００３】
このような塗り絵用紙では、輪郭線上に色彩が付されてしまうことがあり、これが視覚的に認識されて全体の出来栄えを損ねてしまう場合がある。このため、綺麗な仕上がりを実現しようとすると、輪郭線上に色彩が付されないようにするための相当な注意が求められ、作業が難しいものとなってしまう。
【０００４】
特に、輪郭線によって囲まれた部分に、貼り紙を貼りつけることによって色彩や模様を付加するような場合には、輪郭線上に紙の縁部分が部分的に覆い被さり、輪郭線がでこぼこした感じに見えてしまい、奇麗さに欠けるという問題がある。かかる事情ゆえに、貼り紙によって色彩や模様を付加するということ自体、塗り絵の手法としては積極的に行われていないのが実情である。
【先行技術文献】
【特許文献】
【０００５】
【特許文献１】実用新案登録第３１１２９７０号公報
【考案の概要】
【考案が解決しようとする課題】
【０００６】
本考案は、このような課題に着目してなされたものであって、塗り絵用紙の輪郭線上に付された色彩が見えてしまい、出来栄えを損ねてしまうという課題を解消することができる塗り絵セットを提供することを目的としている。
【課題を解決するための手段】
【０００７】
すなわち、本考案の次の構成をなすものである。
【０００８】
請求項１に係る考案は、台紙上に塗り絵のための輪郭線が印刷されてなる塗り絵用紙と、用紙に前記輪郭線の形状と略一致した形状の切り残り部分を有するとともに前記切り残り部分以外の部分を切除して形成された切り絵とを備えてなる塗り絵セットであって、前記切り絵が、前記切り残り部分を前記輪郭線に一致させて前記塗り絵用紙の上面に重ね合わされるものである。
【０００９】
請求項２に係る考案は、請求項１に係る構成において、下面に粘着剤層を有し前記塗り絵用紙及び前記切り絵の上面を被覆する透明シートを備えているものである。
【００１０】
請求項３に係る考案は、請求項１又は２に係る構成において、前記塗り絵用紙が、郵便葉書として利用可能な大きさに設定された矩形状のものである。
【考案の効果】
【００１１】
以上説明したように本考案によれば、塗り絵用紙の輪郭線上に付された色彩が見えてしまい、出来栄えを損ねてしまうという課題を解消することができる塗り絵セットを提供することができる。
【図面の簡単な説明】
【００１２】
【図１】本考案の一実施形態を示す平面図。
【図２】同実施形態の塗り絵用紙と切り絵を並べて示す平面図。
【図３】同実施形態における分解斜視図。
【図４】同実施形態におけるＡ−Ａ線概略断面図。
【考案を実施するための形態】
【００１３】
以下、本考案の一実施形態を、図１〜図４を参照して説明する。
【００１４】
ここで、図１は、塗り絵用紙１に色彩を付加した後に、塗り絵用紙１の上面１１ａに切り絵２を重ね合わせ、しかる後に透明シート３を被覆して完成させた状態の塗り絵セットＮを示している。図２に示すものは、同実施形態における塗り絵用紙１と切り絵２とを並べて示した平面図であり、塗り絵用紙１は、色彩が付加されていない状態のものを示している。図３に示すものは、同実施形態における分解斜視図である。図４に示すものは、同実施形態におけるＡ−Ａ線概略断面図であり、中間部分を一部省略して示している。
【００１５】
この塗り絵セットＮは、台紙１１上、すなわち台紙１１の上面１１ａに塗り絵のための輪郭線Ｌが印刷されてなる塗り絵用紙１と、用紙２１に塗り絵用紙１の輪郭線Ｌの形状に一致した形状の切り残り部分Ｒを有するとともに切り残り部分Ｒ以外の部分を切除して形成された切り絵２とを備えてなるものであり、切り絵２が、切り残り部分Ｒを輪郭線Ｌに一致させて塗り絵用紙１の上面１１ａに重ね合わされるものである。さらに、この塗り絵セットＮは、下面３１ａに粘着剤層３２を有し塗り絵用紙１及び切り絵２の上面１１ａ、２１ａを被覆する透明シート３を備えたものである。以下詳述する。
【００１６】
塗り絵用紙１は、厚紙からなる矩形平板状の台紙１１を主体に構成されている。この台紙１１の上面１１ａには、色彩が付加される領域である着色領域Ｃを形成する輪郭線Ｌが印刷により施されている。輪郭線Ｌは、任意のデザインに基づいて台紙１１の上面１１ａに設けられるもので、デザインが認識可能な濃さの色彩を有するものである。本実施形態における輪郭線Ｌは、後述する切り絵２の一体性を考慮して台紙１１の上面１１ａに一体的に連続して設けられており、２つ以上に分離しないようになっている。しかして、輪郭線Ｌにより囲まれた内部領域が着色領域Ｃになっており、その着色領域Ｃに種々の方法で任意の色彩を付加することにより塗り絵が行われる。なお、図１及び図３では、ペンにより色彩を付加した部分をドットで示しており、貼り紙Ｈにより色彩を付加した部分を斜線で示している。
【００１７】
また、この実施形態における塗り絵用紙１は、郵便葉書として利用可能な大きさに設定されており、具体的には、縦寸法（ｌ）が１４．８ｃｍ、横寸法（ｗ）が１０ｃｍに設定されている。
【００１８】
切り絵２は、用紙２１を切り抜いて形成されたものであり、切り抜かれずに残存する部位である切り残り部分Ｒと、切り抜きによって形成された切り残り部分Ｒ以外の空間部分Ｅとによって、所定のデザインを視覚的に認識させるようにしたものである。本実施形態における切り絵２は、黒色の色紙である用紙２１に塗り絵用紙１の輪郭線Ｌの形状に略一致した形状の切り残り部分Ｒを有するとともに切り残り部分Ｒ以外の部分すなわち切除部分をレーザ切断装置によって切除して形成されている。切り絵２は、一般的な切り絵と同様のものであり、基本的には切り残り部分Ｒが一体的に連続しているものである。
【００１９】
透明シート３は、無色透明のシート体３１とこのシート体３１の下面に設けられた無色透明の粘着剤層３２を備えてなるものである。この透明シート３は、塗り絵用紙１に切り絵２を重ね合わせた後、これら塗り絵用紙１と切り絵２の外面に表出する部分に貼着される。つまり、透明シート３は、塗り絵用紙１と切り絵２との相対的な位置を一定位置に保持して相互にずれることが無いように固定する機能、及び、塗り絵用紙１と切り絵２の外面が汚れることを抑制する機能とを奏するものである。
【００２０】
以上の構成をなす塗り絵セットＮは、次のようにして使用される。
【００２１】
まず、塗り絵用紙１に塗り絵を行う。すなわち、台紙１１の上面に施された輪郭線Ｌを参照しつつ、着色領域Ｃに任意の色彩を付す。色彩を付す態様は種々の方法があるが、図３に示すように、この実施形態では、一部の着色領域Ｃ（長靴のデザイン部分）に、模様を有した紙片である貼り紙Ｈを付して行っている。
【００２２】
次に、塗り絵用紙１の上面に切り絵２を重ね合わせる。より具体的には、塗り絵用紙１に印刷された輪郭線Ｌに一致した形状の切り残り部分Ｒを、塗り絵用紙１の輪郭線Ｌに一致するようにして、切り絵２を覆い被せる。このようにすることで、塗り絵によって輪郭線Ｌ上にはみ出た色彩部分Ｊは、切り絵２の切り残り部分Ｒによって被覆されて外部に表出しなくなり、切り残り部分Ｒが輪郭線Ｌに代わって外部に表出することになる。
【００２３】
次いで、透明シート３を、塗り絵用紙１とこの塗り絵用紙１に重ね合わされた切り絵２に被覆して貼りつける。すなわち、粘着剤層３２を有した透明シート３を、外部に表出している塗り絵用紙１の着色領域Ｃと切り絵２の切り残り部分Ｒに貼り付けて、塗り絵用紙１と切り絵２とのずれを防止するとともに、外面を汚れからカバーする。
【００２４】
以上のようにして、塗り絵セットＮを用いた創作作業は完了する。
【００２５】
なお、本実施形態おける塗り絵用紙１は、郵便葉書のサイズに設定されており、例えば、この塗り絵用紙１の下面１１ｂに、切手を貼付する領域や、住所や文章等を記載する領域を設けることができるようになっている。このため、いわゆる絵ハガキを送るように、塗り絵セットＮの作品を郵便により発送することができるようになっている。したがって、本実施形態における塗り絵セットＮは、仕上がりが好適な塗り絵を比較的簡単に創作することができるのみならず、郵便葉書として、他人に塗り絵セットＮの作品を郵送することができるため、利用者に作品を作成しようとする動機付けを付与できるものとなっている。
【００２６】
以上、詳述したように、本実施形態に係る塗り絵セットＮは、塗り絵用紙１の輪郭線Ｌ上に付された色彩が視覚的に認識されてしまい、出来栄えを損ねてしまうという課題を解消することができ、出来栄えの良好な塗り絵を比較的簡単に作成することができるものとなっている。しかも、塗り絵用紙１の上に切り絵２を重ねることにより、切り残り部分Ｒが塗り絵用紙１から浮き上がったようになるため、心地よい見栄えになる。
【００２７】
なお、本考案は、以上に詳述した実施形態に限られるものではない。
【００２８】
上述した実施形態では、塗り絵用紙の大きさは郵便葉書として好適なものに設定されていたが、かかる態様のものには限定されるものではなく種々設定することができる。
【００２９】
また、切り絵の色彩やデザインについても、本実施形態に示されるものには限定されない。なお、切り絵は、その下面に接着剤を塗布した上で、塗り絵用紙に重ね合わせるようにしてもよい。
【００３０】
透明シートは、無色透明のもののほか、一定の色彩を有した有色透明のものであっても良い。
【符号の説明】
【００３１】
１…塗り絵用紙
２…切り絵
３…透明シート
１１…台紙
１２…用紙
３２…粘着剤層
Ｌ…輪郭線
Ｎ…塗り絵セット
Ｒ…切り残り部分
【図１】
0003172927.tif 000003
【図４】
0003172927.tif 000004
【図２】
0003172927.tif 000005
【図３】
0003172927.tif 000006